(57)【要約】本発明による心肺蘇生術装置は、胸骨を圧迫するピストンを有する圧迫手段と、前記圧迫手段が胸骨を圧迫する時に胸郭を締め付けて収縮させる胸郭帯を有する胸郭収縮手段とを有する心肺蘇生術装置において、患者の胸郭の大きさ合わせて前記胸郭帯の長さを調節する長さ調節手段をさらに備える。胸郭収縮手段はさらに、前記胸郭帯の締め付けによって胸部に密着する保護パッドを含む。それにより、患者の体格に応じて胸郭帯の長さを容易に調整することができ、また、患者の胸骨を圧迫する時に胸部を保護することができる。【選択図】図３
2005502419.tif 000002
【特許請求の範囲】
【請求項１】
胸骨を圧迫するピストンを有する圧迫手段と、前記圧迫手段が胸骨を圧迫する時に胸郭を締め付けて収縮させる胸郭帯を有する胸郭収縮手段とを有する心肺蘇生術装置において、患者の胸郭の大きさに合わせて前記胸郭帯の長さを調節する長さ調節手段をさらに備えたことを特徴とする心肺蘇生術装置。
【請求項２】
前記長さ調節手段は、前記胸郭帯が巻回されるボビンと、
前記ボビンの軸に装着されて固定された第１ラチェットホイールと、
前記ボビンの逆回転を防ぐように前記第１ラチェットホイールに係合する第１ストッパと、
前記ボビンの軸に回転自在に装着され、前記第１ストッパが結合して案内されるとともに、一方の側に第２ラチェットホイールが取付けられたハンドルブラケットと、
前記第２ラチェットホイールに係合し前記ハンドルブラケットの回転を規制する第２ストッパと、
前記ボビンに回転力を与えるスパイラルスプリングとを含む請求項１に記載の心肺蘇生術装置。
【請求項３】
前記胸郭収縮手段は、前記胸郭帯の締め付けによって胸部に密着する保護パッドを含む請求項１に記載の心肺蘇生術装置。
【請求項４】
前記圧迫手段は、前記ピストンの下降レベルを調整するように複数の規制溝が形成されたストッパと、前記ピストンと共に下降し前記規制溝に係止される規制部材とを含む請求項１に記載の心肺蘇生術装置。
【請求項５】
施術対象者の胸骨を圧迫するピストンを有する圧迫手段と、前記圧迫手段が胸骨を圧迫する時に胸郭を締め付けて収縮させる胸郭帯を有する胸郭収縮手段とを備えた心肺蘇生術装置において、前記胸郭帯は施術対象者の左右側部をそれぞれ包み込むように左・右胸郭帯に分けられ、施術対象者の背中が密着して支えられるベース面を有するベース本体と、施術対象者の胸郭の大きさに合わせて前記胸郭帯の長さを調節するように前記ベース本体に結合された長さ調節手段とを備え、
前記長さ調節手段は、
左・右胸郭帯の各下端が前記ベース面の中央に挿通されて巻回される左・右ボビンと、
前記左・右ボビンに復元力を与えるスパイラルスプリングと、
前記左・右ボビンを回転させるように前記左右ボビンの軸に結合された複数の電動ギヤと、
前記電動ギヤを駆動する駆動手段とを含むことを特徴とする心肺蘇生術装置。
【請求項６】
前記駆動手段は、前記電動ギヤを回動させるように前記電動ギヤに噛み合った駆動ギヤと、前記駆動ギヤが結合された駆動軸と、前記駆動軸に着脱可能にスプライン結合されたハンドル軸と、前記ハンドル軸に結合されたハンドルとを含む請求項５に記載の心肺蘇生術装置。
【請求項７】
前記胸郭収縮手段は、前記胸郭帯の締め付けによって胸部に密着する保護パッドと、施術対象者の皮膚を保護するように前記胸郭帯の内部に密着して伸縮性を持つ皮膚保護バンドとを含む請求項５に記載の心肺蘇生術装置。
【請求項８】
前記駆動手段は、前記電動ギヤを回動させるように前記電動ギヤに噛み合った中間ギヤと、前記中間ギヤが結合された駆動軸と、前記駆動軸に差し込まれた駆動ギヤと、前記駆動ギヤを回転させるようにラックギヤが結合されたシリンダーとを含む請求項５に記載の心肺蘇生術装置。
【発明の詳細な説明】
【技術分野】
【０００１】
本発明は心肺蘇生術装置に関し、より詳しくは、心臓拍動が停止した患者に血流の人工循環を誘発させる装置に関する。
【背景技術】
【０００２】
一般に、心肺蘇生術は、心拍動が停止した患者に心臓と肺の機能を代理して全身に酸素化された血流を供給するものであり、胸部圧迫と人工呼吸が含まれる。
【０００３】
自発的に血流の循環が起きるようにするためには、心肺蘇生術の施行中に、冠状動脈の灌流圧が２０ｍｍＨｇ以上に維持されなければならない。しかし、標準的な心肺蘇生術では、正常な心拍出量の約１０〜２０％が誘発されるだけであるため、自発的な血流の循環が起きるには十分とは言えない。従って、血流量を増加させるために多様な心肺蘇生術装置が提案されている。
【０００４】
心肺蘇生術装置の一例が、本出願人によって出願され特許文献１として登録された。
【０００５】
特許文献１は、胸骨を圧迫する心臓ポンプの機能と胸郭を収縮させる胸郭ポンプの機能を同時に遂行する圧迫及び収縮手段を備えてより多い量の血流を供給できるように構成された心肺蘇生術装置に係るものであり、図１に示すように、圧迫及び収縮手段１は、施術対象者２の胸骨４を圧迫するピストン６と、両端が複数のローラ８に巻回してピストン６の両側面に結合し、ピストン６の昇降に従って施術対象者２の胸郭を包んで締め付けたり弛緩させたりする胸郭帯１０を備えた構成である。
【０００６】
このように構成された特許文献１に記載の装置では、ピストン６が下降すれば、ピストン６が胸骨を圧迫して心臓ポンプの機能をすると同時に、ピストン６に両端が固定された胸郭帯１０が胸郭を締め付けて胸郭ポンプの機能をするようになり、血流量が増大して心肺蘇生術の效果が高まる。
【特許文献１】
大韓民国特許第２７０５９６号
【発明の開示】
【発明が解決しようとする課題】
【０００７】
ところが、特許文献１の装置には、患者の体格が異なる場合、胸郭帯の長さを調整することによって胸郭ポンプとしての本来の機能が発揮されるが、胸郭帯の長さを合わせるのが困難であるばかりか多くの時間を必要とするため、早い時間内に心肺蘇生術を遂行することができず患者の生命を失う危険性があるという問題点があった。
【０００８】
さらに、ピストンが昇降しながら患者の胸骨を圧迫し胸郭帯が胸腔を収縮させる時に、胸郭帯が動いて身体が損傷を受けるおそれがあった。
【０００９】
よって、本発明は、患者の体格に応じて胸郭帯の長さを容易に調整することができる心肺蘇生術装置を提供することを目的とする。
【００１０】
本発明はまた、患者の胸骨を圧迫する時に胸部を保護する心肺蘇生術装置を提供することを目的とする。
【課題を解決するための手段】
【００１１】
本発明による心肺蘇生術装置は、胸骨を圧迫するピストンを有する圧迫手段と、前記圧迫手段が胸骨を圧迫する時に胸郭を締め付けて収縮させる胸郭帯を有する胸郭収縮手段とを有する心肺蘇生術装置において、患者の胸郭の大きさに合わせて前記胸郭帯の長さを調節する長さ調節手段をさらに備えたことを特徴とする。
【００１２】
前記長さ調節手段は、前記胸郭帯が巻回されるボビンと、前記ボビンの軸に装着されて固定された第１ラチェットホイールと、前記ボビンの逆回転を防ぐように前記第１ラチェットホイールを係合する第１ストッパと、前記ボビンの軸に回転自在に装着され、前記第１ストッパが結合して案内されるとともに、一方の側に第２ラチェットホイールが取付けられたハンドルブラケットと、前記第２ラチェットホイールに係合し前記ハンドルブラケットの回転を規制する第２ストッパと、前記ボビンに回転力を与えるスパイラルスプリングとを含むことができる。
【００１３】
前記胸郭収縮手段は、前記胸郭帯の締め付けによって胸部に密着する保護パッドを含むことができる。
【００１４】
前記圧迫手段は、前記ピストンの下降レベルを調整するように複数の規制溝が形成されたストッパと、前記ピストンと共に下降し前記規制溝に係止される規制部材とを含むことができる。
【００１５】
本発明による心肺蘇生術装置の他の例は、施術対象者の胸骨を圧迫するピストンを有する圧迫手段と、前記圧迫手段が胸骨を圧迫する時に胸郭を締め付けて収縮させる胸郭帯を有する胸郭収縮手段を備えた心肺蘇生術装置において、前記胸郭帯は施術対象者の左右側部をそれぞれ包み込むように左・右胸郭帯に分けられ、施術対象者の背中が密着して支えられるベース面を有するベース本体と、施術対象者の胸郭の大きさ合わせて前記胸郭帯の長さを調節するように前記ベース本体に結合された長さ調節手段とを備え、前記長さ調節手段は、左・右胸郭帯の各下端がベース面の中央に挿通されて巻回される左・右ボビンと、前記左・右ボビンに復元力を与えるスパイラルスプリングと、前記左・右ボビンを回転させるように前記左右ボビンの軸に結合された複数の電動ギヤと、前記電動ギヤを駆動する駆動手段と、前記電動ギヤの回転を規制するロッキング手段とを含む構成とすることもできる。
【００１６】
前記駆動手段は、前記電動ギヤを回動させるように前記電動ギヤに噛み合った駆動ギヤと、前記駆動ギヤが結合された駆動軸と、前記駆動軸に着脱可能にスプライン結合されたハンドル軸と、前記ハンドル軸に結合されたハンドルとを含むことができる。
【００１７】
前記駆動手段は、前記電動ギヤを回動させるように前記電動ギヤに噛み合った駆動ギヤと、前記駆動ギヤが結合された駆動軸と、前記駆動軸を回動させるように制御手段によって制御されるモータとを含んでもよい。
【００１８】
前記駆動手段は、前記電動ギヤを回動させるように前記電動ギヤに噛み合った中間ギヤと、前記中間ギヤが結合された駆動軸と、前記駆動軸に差し込まれた駆動ギヤと、前記駆動ギヤを回転させるようにラックギヤが結合されたシリンダーとを含んでもよい。
【００１９】
前記胸郭収縮手段は、前記胸郭帯の締め付けによって胸部に密着する保護パッドと、施術対象者の皮膚を保護するように前記胸郭帯の内部に密着して伸縮性を持つ皮膚保護バンドを含むことができる。
【発明の効果】
【００２０】
本発明の心肺蘇生術装置によれば、患者の体格に合せて胸郭帯の長さを容易に調整することができ、患者の胸骨を圧迫する時に胸部を保護し、圧迫パッドが下降する高さを容易に調節することができるという效果が得られる。
【発明を実施するための最良の形態】
【００２１】
図２及び図３に示すように、２個の垂直側板１２、１２’がその中間部で水平中間板１４によって連結されて、フレーム１６が、２個の垂直側板１２、１２’の間に所定の間隔を設けて構成されている。フレーム１６には、胸骨を圧迫する圧迫手段１８と、圧迫手段１８が胸骨を圧迫する時に胸郭を締め付けて収縮させる胸郭帯２０を有する胸郭収縮手段２２と、患者胸郭の大きさに合わせて胸郭帯２０の長さを調節する長さ調節手段２４が結合される。
【００２２】
圧迫手段１８は、水平中間板１４から下側に突出したピストン２６に媒介部材２８を介して圧迫パッド３０が結合され、ピストン２６はシリンダー３２に内臓されて空圧によって作動する構造である。圧迫パッド３０は直接ピストン２６に結合することもできる。
【００２３】
ピストン２６は前進時（下降時）には空圧によって動作し、後退時（上昇時）にはスプリングの復元力によって動作するようにシリンダー３２の内部にはスプリングが挿入された構造にすることもできる。一方、ピストン２８は特許文献１に開示されたようにその一側面にラックを形成し、ラックに噛合されるピニオンを回転させるモーターで駆動させることもできる。
【００２４】
媒介部材２８は、後述する案内ローラが結合する連結板に固定され、媒介部材２８の下側に延長された突出部２８ａの端部には圧迫パッド３０に係止される係止ブロック３４が結合される。
【００２５】
圧迫パッド３０は、係止ブロック３４が挿入される溝３０ａを備え、溝３０ａの上側一部を塞ぐカバー３６によって係止ブロック３４が係止されるようになっている。
【００２６】
胸郭収縮手段２２は、媒介部材２８に連結板３８が固定され、連結板３８の両側及び垂直側板の下端両側には複数のローラが結合され、このローラによって案内される胸郭帯２０が患者の胸郭を包み、胸郭帯２０の締め付けによって胸部に密着する保護パッド４０、４０’が結合された構造である。
【００２７】
胸郭帯２０を案内するローラは連結板３８の両側に結合された第１案内ローラ４２、４２’と、垂直側板１２、１２’の下端両側に結合された第２案内ローラ４４、４４’と、第１案内ローラ４２、４２’と第２案内ローラ４４、４４’の間に結合されたアイドルローラ４６、４６’とから構成される。
【００２８】
連結板３８は図６に示すように、その中間に媒介部材２８が挿入されて固定される固定溝部３８ａが形成され、その幅方向両側に第１案内ローラ４２、４２’が結合されるように削られた形状である。連結板３８は媒介部材２８に固定されているので圧迫手段１８のピストン２６の昇降動作によって昇降するようになっているが、圧迫手段１８の作動に合わせて別途の動力源によって昇降する構造として構成することもできる。
【００２９】
保護パッド４０、４０’は、図３及び図４に示すように第２案内ローラ４４、４４’の軸の両端に嵌合されて垂直側板１２、１２’に固定される二つのパッドからなっており、その底面４０ａ、４０’ａは患者の胸囲方向に所定の曲率を有する曲面からなっている。保護パッド４０は患者の身長方向の下側胸部に密着するパッドであり、保護パッド４０’は患者の身長方向の上側胸部に密着するパッドであって、下側の保護パッド４０に比べてその密着面が広くなっている。保護パッド４０、４０’はゴム材や軟質のウレタン、織物などの材質からなることが好ましい。
【００３０】
保護パッド４０、４０’は、その外側（図４の圧迫パッドの反対側）は垂直側板１２、１２’の下端の角部が密着するように削られており、その内側は連結板３８の両側（図６の前後側）が引っ掛けられずに昇降するように削られている。
【００３１】
胸郭帯２０は織布、不織布、皮等多様な材質で作ることがができ、その幅は約１０ｃｍ程度であることが好ましい。そして、胸郭帯２０は、長さ調節手段２４の後述するボビンに巻回した後、一方の側の第１案内ローラ４２、アイドルローラ４６及び第２案内ローラ４４を順次に経て、反対側の第２案内ローラ４４’及びアイドルローラ４６’を経て反対側の第１案内ローラ４２’に固定される。胸郭帯２０は反対側の第２案内ローラ４４’の下側で二つに分離されて鉤部２０ａ、２０ｂによって掛止する構造であるが、反対側の第１案内ローラ４２’に着脱可能に掛止する構造として構成することもできる。
【００３２】
長さ調節手段２４は、図２〜図４に示すように、アイドルローラ４６上側で垂直側板１２、１２’の間に固定されている。長さ調節手段２４は、胸郭帯２０が巻回されるボビン４８と、ボビン４８の軸５０に装着されて固定された第１ラチェットホイール５２と、ボビン４８の逆回転を防ぐように第１ラチェットホイール５２に係合する第１ストッパ５４と、ボビン４８の軸に回転自在に装着され、第１ストッパ５４が結合されて案内されるとともに、その一方の側に第２ラチェットホイール５６が取付けられたハンドルブラケット５８と、第２ラチェットホイール５６に係合しハンドルブラケット５８の回転を規制する第２ストッパ６０と、ボビン４８に回転力を与えるスパイラルスプリング６２とを含む。
【００３３】
第１、第２ラチェットホイール５２、５６とスパイラルスプリング６２は軸５０の両側にそれぞれ結合されている。
【００３４】
第１ストッパ５４は、図７に示すように、ハンドルブラケット５８の後述する案内スロット溝に差し込まれる翼５４ａ、５４ａ'が両側に形成された水平板部５４ｂと、手でつかめるように水平板部５４ｂの一側（翼側）縁で上側に折曲された垂直フランジ部５４ｃとからなり、垂直フランジ部５４ｃの反対側には後述するスプリングが装着されるように水平板部５４ｂから水平に突出形成された係止部５４ｄとを含む。
【００３５】
ハンドルブラケット５８は、第２ラチェットホイール５６を含む二つのラチェット板部５８ａが連結板部５８ｂによって一体に連結された構造である。第１ラチェットホイール５２は、ラチェット板部５８ａの内側に位置し、円形板からなる。
【００３６】
ラチェット板部５８ａの一方の側には第２ラチェットホイール５６をなす鋸歯が円弧面に形成され、ラチェット板部５８ａの中間には翼５４ａ、５４ａ'が差し込まれる案内スロット溝５８ｃが形成される。案内スロット溝５８ｃは、翼５４ａが第１ラチェットホイール５２の鋸歯に係止する第１溝と、第１ラチェットホイール５２の鋸歯から外れて係止する第２溝が、お互いに交差するようにＸ形に形成されたものである。第２ラチェットホイール５６の反対側には、手で容易につかめるように円筒棒６４（図２に示す）が結合される。
【００３７】
連結板部５８ｂの右側中間部で上側に折曲されたフランジ５８ｄの上端には、係止部５４ｄと対向する方向に係止部５８ｅが突出形成されている。係止部５４ｄと係止部５８ｅとの間には、第１ストッパ５４を押すようにスプリング６６（図２に示す）が挟まれている。
【００３８】
第２ストッパ６０は垂直方向に立てられた逆Ｔ字形であるが、垂直側板１２、１２’には第２ストッパ６０の下側両端を案内するスロット溝が形成され、垂直側板１２、１２’の上側には第２ストッパ６０の中央上端を案内するスロット溝を有する上板６８が結合される。第２ストッパ６０と上板６８との間には付勢力を与えるようにスプリング６９が結合される。
【００３９】
一方、垂直側板１２、１２’の上部には二つの垂直側板の間を所定の間隔で支持して剛性を高める支持棒７０、７０’が結合される。そして垂直側板１２の中間部には後述するストッパが回動する時に引っ掛からないように溝１２’ａ（図５に示す）が形成される。
【００４０】
図５に示すように、圧迫手段１８のピストン２６に固定された媒介板７２の端部に、軸部材７４が垂直に固定結合されている。水平中間板１４には、ピストンの下降レベルを調整するように複数の規制溝８０ａ、８０ｂ、８０ｃ（図８に示す）が形成されたストッパ７６が、軸部材７４に回動可能に装着されている。ストッパ７６の上側には、ピストンが下降すると共に下降し規制溝８０ａ、８０ｂ、８０ｃに係止するように、規制部材７９が軸部材７４に装着され固定されている。
【００４１】
ストッパ７６は図８に示すように、中間に形成されたフランジ７８の上側で規制部材７９を調節する調節部８０が形成され、フランジ７８の下側に水平中間板１４に差し込まれる挿入部８２が形成された、筒形状である。
【００４２】
フランジ７８には、ボールが下側で係止するように孔７８ａが形成される。調節部８０には、上端でお互いに違う深さで円周方向に沿って複数の規制溝８０ａ、８０ｂ、８０ｃが形成される。一方、規制部材７９の後述するボス部が挿入されるように、軸部材７４の外経より大きい中間孔８０ｄが形成される。規制溝８０ａ、８０ｂ、８０ｃ及び孔７８ａは１２０度間隔で形成されているが、各規制溝は中間孔８０ｄを中心に対称に形成されるため、円周方向に沿って６０度間隔で規制溝が形成されることになる。
【００４３】
規制部材７９は図８に示すように、調節部８０の中間孔８０ｄに挿入されるボス部７９ａが形成され、規制溝８０ａ、８０ｂ、８０ｃに差し込まれるようにボス部７９ａの外面に１８０度方向に二つのフランジ７９ｂ、７９ｂ’が半径方向に形成される。フランジ７９ｂ、７９ｂ’の厚さ（Ｔ）は、規制溝８０ａ、８０ｂ、８０ｃの幅（Ｗ）よりやや小さくなっている。フランジ７９ｂ、７９ｂ’の下側端には、規制溝８０ａ、８０ｂ、８０ｃに円滑に入るようにチャンファ７９ｃが形成されている。
【００４４】
一方、水平中間板１４には、スプリング８４によって弾性支持されたボール８６が結合されている。
【００４５】
以下、本発明の第１実施例による上記構成の心肺蘇生術装置の作用について説明する。
【００４６】
胸郭帯２０の一方を、長さ調節手段２４のボビン４８に巻き付けて、第１案内ローラ４２、アイドルローラ４６、及び第２案内ローラ４４に巻回して鉤部２０ａを係止部（図示なし）に係止し、他方の胸郭帯を第１案内ローラ４２’、アイドルローラ４６’及び第２案内ローラ４４’に巻回して鉤部２０ｂを他の係止部（図示なし）に係止する。そして、胸郭帯２０は上述した状態に維持される。
【００４７】
使う時は、第１ストッパ５４の水平フランジ部５４ｃをつかみ、後方に引いて翼５４ａを案内スリット溝５８ｃの第１溝から第２溝に移して、第１ラチェットホイール５２を回転自在にする。次に、胸郭帯２０の鉤部２０ａをつかんで引き患者の胸郭を包んだ後、鉤部２０ａと鉤部２０ｂを結合させる。第１ストッパ５４の翼５４ａをまた案内スリット溝５８ｃの第１溝に移して第１ラチェットホイール５２の鋸歯に係合させ、さらに第２ストッパ６０を第２ラチェットホイール５６の鋸歯に係合させる。したがって、患者の胸郭の大きさに合わせて適切な長さの胸郭帯が解かれ、患者の胸郭を包むようになる。
【００４８】
次に制御手段（図示なし）によってシリンダー３２を作動してピストン２６が下降すれば、圧迫パッド３０が患者の胸骨を圧迫して心臓ポンプの機能をする。これと同時に連結板３８が下降するため、患者の胸郭を包んでいる胸郭帯２０が胸郭を締め付けるようになり胸郭ポンプの機能をする。この時保護パッド４０は胸部に密着して胸部を保護する。そして、ピストン２６が作動する内に、第１ストッパ５４はボビン４８から胸郭帯がそれ以上解けないようにし、第２ストッパ６０はハンドルブラケット５８が回転しないようにして、解けた胸郭帯が緩まないようにようにする。
【００４９】
一方、ピストン２６が作動する時に、患者の状態によって圧迫パッド３０が下降する高さを調整する必要があるが、その時にはストッパ７６を回転させることで、所定の角度でボール８６によってそのストッパ７６が停止し、これにより各規制溝８０ａ、８０ｂ、８０ｃの内の一つが規制部材７９のフランジ７９ｂ、７９ｂ’に整列し、ピストン２６が下降すればフランジ７９ｂ、７９ｂ’が規制溝に挿入されて、ピストンの下降長さが規制される。
【００５０】
ピストン２６は、制御手段（図示なし）及び空圧回路によって圧迫と弛緩の割合を５０：５０で維持し、圧迫速度は１分につき８０回または１００回にする。これは患者の状態によって決める。ピストン２６は空圧回路によって作動する。患者の肺には、酸素が別に同時に供給される。酸素供給は、ピストン２６の作動と連動するようにする。
【００５１】
図９〜図１９は、本発明の第２実施例による心肺蘇生術装置を示す。
【００５２】
図９〜図１１に示すように、施術対象者が横たわり支えられるベース本体１１２の上側には、施術対象者の胸骨を圧迫するピストン１１４を有する圧迫手段１１６と、圧迫手段１１６が胸骨を圧迫する時に胸郭を締め付けて収縮させる胸郭帯１１８を有する胸郭収縮手段１２０が、フレーム（図示なし）に設けられている。
【００５３】
胸郭帯１１８は、施術対象者の左右側部をそれぞれ包み込むように左・右胸郭帯１２２、１２４に分けられており、施術対象者の胸郭の大きさに合わせて胸郭帯１１８の長さを調節するように、ベース本体には長さ調節手段１２６が結合されている。
【００５４】
ベース本体１１２の上側外面は、突出した左右側部と長手方向に開かれた形状を有するベース面１２８とを備え、施術対象者が横たわるときに施術対象者を包み込む。ベース面１２８における施術対象者が横たわる長手方向の中間には、低く後退したリセス部１２９が形成される。リセス部１２９は概ね胸郭帯と等しい幅で水平方向に形成される。リセス部１２９の中央には長孔１２９ａが形成され、この長孔１２９ａを通って左・右胸郭帯１２２、１２４の下端がベース本体１１２の内部に挿通され、左・右ボビンに巻回される。
【００５５】
長さ調節手段１２６は、ベース本体１１２の内部のベースブラケット１３０と、ベースブラケット１３０の両側（図１１の左右側）に各々配置された支持ブラケット１３２、１３４と、支持ブラケット１３２、１３４の間の左・右軸部材１３６、１３８をを含む。左・右軸部材１３６、１３８は更に、左・右胸郭帯１２２、１２４がそれぞれ巻回される左・右ボビン１４０、１４２と、互いに噛合うスパーギヤからなる電動ギヤ１４４、１４６とを含む。右軸部材１３８の端部には、駆動手段１４８によって駆動されるベベルギヤからなる電動ギヤ１５０が設けられている。
【００５６】
駆動手段１４８は、ベース本体１１２の内部に支持ブラケット１５２を介して駆動軸１５４が設けられ、駆動軸１５４の一端部には電動ギヤ１５０に噛合うベベルギヤからなる駆動ギヤ１５６が固定され、駆動軸１５４の他端部にはハンドル軸１５８が着脱可能にスプライン結合され、ハンドル軸１５８にはハンドル１６０が固定された構造である。
【００５７】
駆動手段は、電動ギヤを回動させるように電動ギヤに噛み合った駆動ギヤと、駆動ギヤが結合された駆動軸と、駆動軸を回動させるように制御手段によって制御されるモーターとから構成することもできる。
【００５８】
ベース本体１１２の前側には、施術対象者の頭を支える頭支持部１６２が突出形成され、頭支持部１６２には施術者が手で容易につかめるように孔１６２ａが形成される。頭支持部１６２に孔１６２ａが形成された部位の上側面は、頭を容易に支えられるように曲面１６２ｂを成している。頭支持部１６２は、ベース面１２８より低い位置である。そして、長孔１２９ａが形成された部位には、左・右胸郭帯１２２、１２４を案内するように案内ローラ１６４、１６４’が結合され、案内ローラ１６４、１６４’はベース面１２８にその両端が固定された保護カバー１６６によって覆われている。
【００５９】
図９、図１２、図１４に示すように、圧迫手段１１６においては、支持ブラケット１６８から下側に突出したピストン１１４に、連結ブラケット１６９を介して圧迫パッド１７０が結合されている。ピストン１１４は、シリンダー１７２に内臓されて空圧によって作動する。圧迫パッド１７０は、直接ピストン１１４に結合することもできる。
【００６０】
上記支持ブラケット１６８はフレーム（図示なし）に固定されており、図１４に示すように、両側に折曲されたフランジ１６８ａ、１６８ａ’を有する断面形状である。ウェブ１６８ｂの上面には、ピストン１１４が通る孔１６８ｃ及びシリンダー固定孔１６８ｄが形成されている。フランジ１６８ａ、１６８ａ’には、後述する案内ローラ及びアイドルローラの軸が挿入される複数の孔１６８e、１６８ｆが形成される。
【００６１】
ピストン１１４は、本発明の第１実施例と同様に構成される。シリンダー１７２は、支持ブラケット１６８の上面に固定される。
【００６２】
連結ブラケット１６９は、ボルト１７４によってピストン１１４の断面に固定され、連結ブラケット１６９の底面には、圧迫パッド１７０に差し込まれて係止する係止ブロック１７６が固定される。
【００６３】
圧迫パッド１７０は、係止ブロック１７６が挿入される溝１７６ａを備え、溝１７６ａの上側一部を塞ぐカバー１７９によって係止ブロック１７６が係止される。
【００６４】
胸郭収縮手段１２０は、連結ブラケット１６９及び支持ブラケット１６８の両側に複数のローラが結合され、このローラによって案内される胸郭帯１１８が施術対象者の胸郭を包み、胸郭帯１１８の締め付けによって胸部に密着する保護パッド１７８が結合された構造である。
【００６５】
胸郭帯１１８を案内するローラは、連結ブラケット１６９の両側に結合されて左・右胸郭帯１２２、１２４を固定する固定ローラ１８０、１８０’と、支持ブラケット１６８の下端の両側に結合されて左右胸郭帯１２２、１２４を案内すると同時に保護パッドを結合させる案内ローラ１８２、１８２’と、案内ローラ１８２、１８２’と固定ローラ１８０、１８０’との間に結合されたアイドルローラ１８４、１８４’とから構成される。
【００６６】
連結ブラケット１６９は、図１４に示すように、ベース板部１６９ａの中央で上側に突出した突出部１６９ｂを有し、ベース板部１６９ａの幅方向両側が固定ローラ１８０、１８０’が結合されるように削られ、この削られた部分に収容される固定ローラ１８０を結合する軸が差し込まれる孔１６９ｃを備えて、突出部１６９ｂにはボルト１７４が挿入される孔が形成された形状である。連結ブラケット１６９は、ピストン１１４に固定されているのでピストン１１４の昇降の動作に従って昇降するようになっているが、圧迫手段１１８の作動に合わせて別途の動力源によって昇降する構成とすることもできる。
【００６７】
保護パッド１７８は図１４に示すように、施術対象者の胸囲方向に所定の曲率を有する曲面の底面１７８ａと、連結ブラケット１６９及び圧迫パッド１７０が通るように中央に形成された四角孔１７８ｂとを有し、四角孔１７８ｂの外側４ケ所に上側方向に突出する突出部１８６、１８６’が形成されている。突出部１８６、１８６’には、補助パッド１８８、１８８’がそれぞれ差し込まれる。
【００６８】
突出部１８６、１８６’の一側部には案内ローラ１８２、１８２’の軸が差し込まれる孔１８６ａ、１８６’ａが形成され、突出部１８６、１８６’の他側部には補助パッド１８８、１８８’の係止突起１８８ａ、１８８’ａが差し込まれる係止溝１８６ｂ、１８６’ｂが形成される。
【００６９】
補助パッド１８８、１８８’は、係止突起１８８ａ、１８８’ａから保護パッド１７８の長手方向に延在し、この延在された両端が連結部１８８ｂ、１８８’ｂによって連結されている。連結部１８８ｂ、１８８’ｂの底面は、保護パッドの底面１７８ａにつながる曲面になっている。
【００７０】
保護パッド１７８及び補助パッド１８８、１８８’はゴム材や軟質のウレタンなどの材質からなることが好ましい。
【００７１】
一方、図１２及び図１３に示すように、各左・右胸郭帯１２２、１２４は、補助パッド１８８、１８８’の上側で連結具１９０、１９０’によって、固定胸郭帯部１２２ａ、１２４ａと可変胸郭帯部１２２ｂ、１２４ｂに分けられて、着脱可能に結合させることができる構造である。連結具１９０、１９０’は、雌連結具１９２と雄連結具１９４の各一側部が蝶番式に掛止して結合され、雌連結具１９２及び雄連結具１９４の他方の側には、固定胸郭帯部１２２ａ、１２４ａ及び可変胸郭帯部１２２ｂ、１２４ｂがそれぞれ掛止して固定されるロード部１９２ａ、１９４ａが備えられる。
【００７２】
胸郭帯１１８の材質及び幅は本発明の第１実施例と同様であり、固定胸郭帯部１２２ａ、１２４ａは固定ローラ１８０、１８０’に固定された後、アイドルローラ１８４、１８４’及び案内ローラ１８２、１８２’を経てロード部１９２ａに固定される。そして、可変胸郭帯部１２２ｂ、１２４ｂはロード部１９４ａに固定され、ベース本体１１２に結合された案内ローラ１６４、１６４’を経て長孔１２９ａを通った後、左右ボビン１４０、１４２に巻回される。
【００７３】
図９に示すように、胸郭帯１１８の内面（ベース本体の外部に出た部分のみ）には施術対象者の皮膚を保護するように伸縮性を持つ皮膚保護バンド１９６、１９６’が結合される。皮膚保護バンド１９６、１９６’は、補助パッド１８８、１８８’の連結部１８８ｂ、１８８’ｂ底面に固定された後、ベース本体１１２に結合された案内ローラ１６４、１６４’を覆っている保護カバー１６６の下側につながり、施術対象者の身を包むバンドであり、胸郭帯１１８が締め付けたり弛緩することにより伸縮して施術対象者の身体に常に密着する。
【００７４】
長さ調節手段１２６の左・右軸部材１３６、１３８には、左右ボビン１４０、１４２に復元力を与えるスパイラルスプリング１９８が結合される。
【００７５】
そして、駆動手段１４８のハンドル軸１５８は、軸方向だけに移動するリング形態のスライダ２００を介してハウジング２０２に結合される。ハウジング２０２はベース本体１１２の側壁に固定される。スライダ２００とハウジング２０２は、ボールとスプリングとセットスクリューからなる公知の抜け止め手段２０４によって結合され、スライダ２００の左右方向移動が規制される。また、ハンドル軸１５８にはハンドルの回転を防止するように後述するロッキング手段２１０が結合されている。
【００７６】
一方、ロッキング手段２１０は図１５及び図１６に示すように、ハンドル軸１５８にギヤ２１２が固定され、ギヤ２１２を収容する内部ハウジング２１４がハンドル軸１５８の外側に設けられ、ギヤ２１２の両側にはギヤの歯に係止する突出部２１５ａ、２１６ａを有する左・右ストッパ２１５、２１６がそれぞれ設けられ、ストッパ２１５、２１６を選択的に押す左・右スプリング板２１８、２２０が設けられたスイッチ２２２が左・右ストッパ２１５、２１６の上側に結合される構造である。スライダ２００及びハウジング２０２の一部には、スイッチ２２２を設置して作動させるように外部に開いた溝が形成される。
【００７７】
内部ハウジング２１４の一方の側は、左・右ストッパ２１５、２１６及びスイッチ２２２が設置されるように開いているとともに、左・右ストッパ２１５、２１６の係止する係止部が形成された形状である。スイッチ２２２は、取っ手２２４の下側に左・右スプリング板２１８、２２０が設けられた構造である。
【００７８】
以下に、本発明の第２実施例による心肺蘇生術装置の作用について説明する。
【００７９】
先に、連結具１９０、１９０’の雄連結具１９４を雌連結具１９２から分離させて可変胸郭帯部１２２ｂ、１２４ｂと固定胸郭帯部１２２ａ、１２４ａとを分離させ、補助パッド１８８、１８８’を保護パッド１７８から分離させる。この時皮膚保護バンド１９６、１９６’が結合されない構造では、連結具１９０、１９０’の雄連結具１９４を雌連結具１９２から分離させるだけでよい。
【００８０】
このような状態で、施術対象者（Ｍ）をベース本体１１２のベース面１２８に背中が接するように横にさせ、頭を頭支持部１６２に密着するようにした後、分離の逆順で可変胸郭帯部１２２ｂ、１２４ｂを固定胸郭帯部１２２ａ、１２４ａに連結し、補助パッド１８８、１８８’を保護パッド１７８に連結する。この時、可変胸郭帯部１２２ｂ、１２４ｂはスパイラルスプリング１９８の復元力に勝って左右ボビン１４０、１４２から適切に解けて、施術対象者の胸郭の大きさに合わせて適切な長さの胸郭帯が施術対象者の胸郭を包むようになる。施術対象者（Ｍ）が安着した状態が図１９に示されている。
【００８１】
次にハンドル１６０を押してスライダ２００を移動させることでハンドル軸１５８を駆動軸１５４にスプライン結合し、ロッキング手段２１０でハンドル軸１５８を固定すれば、左右ボビン１４０、１４２は回転せず解けた胸郭帯の長さは変わらなくなる。抜け止め手段２０４は、ハンドル軸１５８が駆動軸１５４から抜けるのを防止する。
【００８２】
図１７に示すように、ロッキング手段２１０の取っ手２２４を右側に移動させれば、右スプリング板２２０が右ストッパ２１６を押すようになり、右ストッパ２１６の突出部２１６ａがギヤ２１２の歯から解除され、左ストッパ２１５の突出部２１５ａはギヤ２１２の歯に係止した状態を維持するため、ハウジング２１４に係止する左ストッパ２１５によってハンドルの反時計方向（ＣＣＷ）回転が規制される。
【００８３】
そして、図１８に示すように、ロッキング手段２１０の取っ手２２４を左側に移動させれば、左スプリング板２１８が左ストッパ２１５を押すようになり、左ストッパ２１５の突出部２１５ａがギヤ２１２の歯から解除され、右ストッパ２１６の突出部２１６ａはギヤ２１２の歯に係止する状態を維持するため、ハウジング２１４に係止する右ストッパ２１６によってハンドルの時計方向（ＣＷ）回転が規制される。
【００８４】
次に制御手段（図示なし）によってシリンダー１７２を作動してピストン１１４が下降すれば、圧迫パッド１７０が施術対象者の胸骨を圧迫して心臓ポンプの機能をする。これと同時に連結ブラケット１６９が下降するため、施術対象者の胸郭に巻回されている胸郭帯１１８が胸郭を締め付けるようになり胸郭ポンプの機能をする。この時保護パッド１７８及び補助パッド１８８、１８８’は胸郭に密着して胸部を保護し、皮膚保護バンド１９６、１９６’は伸縮するため、常に施術対象者の身体に密着する。
【００８５】
一方、初期に胸郭帯１１８を左・右ボビン１４０、１４２に巻回するなどの場合には、ロッキング手段２１０のロッキング状態を解除してハンドル１６０を回転させれば、駆動ギヤ１５６及び電動ギヤを介して左右ボビン１４０、１４２が回転し、胸郭帯１１８が巻回される。
【００８６】
ピストン１１４の作動は第１実施例と同一である。
【００８７】
図２０〜図２５は、本発明の第３実施例による心肺蘇生術装置を示す。
【００８８】
図２０〜図２２に示すように、施術対象者が横たわり支えられるベース本体３１２の上側には、施術対象者の胸骨を圧迫するピストン３１４を有する圧迫手段３１６と、圧迫手段３１６が胸骨を圧迫する時に胸郭を締め付けて収縮させる胸郭帯３１８を有する胸郭収縮手段３２０が、フレーム（図示なし）に設けられている。
【００８９】
胸郭帯３１８は、施術対象者の左右側部をそれぞれ包み込むように左・右胸郭帯３２２、３２４に分けられており、施術対象者の胸郭の大きさに合わせて胸郭帯３１８の長さを調節するように、ベース本体には長さ調節手段３２６が結合されている。
【００９０】
ベース本体３１２は、左右に突出部を有し、ベース面の長手方向に開かれて、施術対象者が水平に横たわるときに施術対象者を包む。ベース面３２８は、長手方向の中間にリセス部３２９を有する。リセス部３２９は概ね胸郭帯と等しい幅で左右方向に形成される。リセス部３２９の中央には長孔３３１ａが形成されたカバー３３１が結合され、この長孔３３１ａを通って、左・右胸郭帯３２２、３２４の下端がベース本体３１２の内部に挿通され、後述する左・右ボビンに巻回される。
【００９１】
長さ調節手段３２６は、ベース本体３１２の内部に設置されたベースブラケット３３０と、ベースブラケット３３０の両側（図２２の左右側）の支持ブラケット３３２、３３４と、支持ブラケット３３２、３３４の間の左・右軸部材３３６、３３８と、左・右胸郭帯３２２、３２４がそれぞれ巻回される左・右ボビン３４０、３４２と、互いに噛合うスパーギヤからなる電動ギヤ３４４、３４６と、右軸部材３３８の端部に設けられ駆動手段３４８によって駆動されるベベルギヤからなる電動ギヤ３５０とを備える。
【００９２】
駆動手段３４８は、ベース本体３１２の内部に支持ブラケット３５２を介して駆動軸３５４が設けられ、駆動軸３５４の一端部には電動ギヤ３５０に噛合うベベルギヤからなる中間ギヤ３５６が固定され、駆動軸３５４の他端部には後述するロッキング手段が着脱可能にスプライン結合され、駆動軸３５４の中間部には駆動シリンダー３５５によって駆動される駆動ギヤ３５７が装着され、駆動シリンダー３５５のピストンには駆動ギヤ３５７と噛み合うラックギヤ３６１ａが形成された移動部材３６１が結合された構造である。移動部材３６１は、案内ロード３６３によって案内されるように結合され、ピストンの端部に固定されてシリンダー側に折曲されて延在し、この延在された延長部にラックギヤ３６１ａが形成された形状である。
【００９３】
ベース本体３１２の前側には施術対象者の頭を支える頭支持部３６２が突出形成されるが、孔３６２ａ及び曲面３６２ｂなどの形状は第２実施例と同一である。
【００９４】
カバー３３１における長孔３３１ａが形成された部位には、左・右胸郭帯３２２、３２４を案内するように案内ローラ３６４、３６４’が結合される。
【００９５】
図２０及び図２３に示すように、圧迫手段３１６は、支持ブラケット３６８から下側に突出したピストン３１４に後述する連結ブラケット３６９を介して圧迫パッド３７０が結合され、ピストン３１４はシリンダー３７２に内臓されて空圧によって作動する構造である。圧迫パッド３７０は直接ピストン３１４に結合することもできる。ピストン３１４、支持ブラケット３６８、連結ブラケット３６９、圧迫パッド３７０、シリンダー３７２、係止ブロック３７６は第２実施例と同一であるため説明を省略する。
【００９６】
胸郭収縮手段３２０は、連結ブラケット３６９及び支持ブラケット３６８の両側に複数のローラが結合され、このローラによって案内される胸郭帯３１８が施術対象者の胸郭を包み、胸郭帯３１８の締め付けによって胸部に密着するパッド３７８、３７８’が結合された構造である。固定ローラ３８０、３８０’、アイドルローラ３８４、３８４’及び案内ローラ３８２、３８２’からなるローラの構成は第２実施例と同一である。
【００９７】
パッド３７８は、支持ブラケット３６８のフランジの下端両方外側に案内ローラ３８２、３８２’によって結合され、その底面は施術対象の胸周り方向に所定の曲率を有する曲面となり、ゴム材や軟質のウレタンなどの材質からなることが好ましい。
【００９８】
一方、左・右胸郭帯３２２、３２４は各々、左右ボビン３４０、３４２に巻回されてから後左右側に分かれた後、案内ローラ３８２、３８２’及びアイドルローラ３８４、３８４’を経て固定ローラ３８０、３８０’に固定される。図２４及び図２５に示すように、左・右胸郭帯３２２、３２４は、左・右胸郭帯中の一つ（図２０の実施例では右胸郭帯）の中間（施術対象者のわき腹が位置する部分）から連結具３９０によって可変胸郭帯部３２４ａと固定胸郭帯部３２４ｂとに分けられて、着脱可能に結合させることができる。
【００９９】
連結具３９０は、フレキシブルなベース板３９１の両上側に雌連結具３９２と雄連結具３９４とが結合された構造である。雌連結具３９２が結合される部分のベース板面には、可変胸郭帯部３２４ａが差し込まれて案内される所定幅の二つの案内長孔３９１ａ、３９１ｂが隣接して形成される。
【０１００】
雌連結具３９２は、可変胸郭帯部３２４ａが掛止して固定されるロード部３９３ａが結合されたブラケット３９３であり、ブラケット３９３の上側には、雄連結具３９４に向けて突出した係止突出板部３９３ｂが形成された構造である。可変胸郭帯部３２４ａは、案内長孔３９１ａ、３９１ｂに差し込まれて絡まされ、ロード部３９３ａに裁縫によって固定される。ブラケット３９３は、引っ張って固定胸郭帯３２４ｂに固定される。係止突出板部３９３ｂには、係止孔３９３ｃが形成される。
【０１０１】
雄連結具３９４は、固定胸郭帯部３２４ｂが掛止して固定されるロード部３９５ａが結合されてベース板３９１に固定されたブラケット３９５と、ブラケット３９５の上側に固定されて突出板部３９３ｂを収容するケース３９７と、ケース３９７内にその一端部が固定され他端部には係止孔３９３ｃに差し込まれる係止突出部３９９ａが形成された係止板３９９と、係止板３９９を押して係止状態を解除するようにスプリング４０７を介して係止板３９９の上側に結合された押え板４０１とを含む。押え板４０１の一端は、ケース３９７にヒンジ結合される。
【０１０２】
胸郭帯３１８の内面には、施術対象者の皮膚を保護するように伸縮性を持つ皮膚保護バンド３９６、３９６が結合される。皮膚保護バンド３９６、３９６は、胸郭帯３１８と等しくローラ及び左・右ボビンに巻回される。
【０１０３】
長さ調節手段３２６の左・右軸部材３３６、３３８には、左右ボビン３４０、３４２に復元力を与えるスパイラルスプリング３９８が結合される。
【０１０４】
そして、駆動手段３４８の駆動軸３５４の他端部には、ロッキング軸３５８が着脱可能にスプライン結合される。ロッキング軸３５８はロッキングシリンダー４０３の駆動に従って移動するピストン４０５に固定され、駆動軸３５４と結合または解除するようになっている。ロッキング軸３５８は、軸方向だけに移動するリング形態のスライダ４００を介してハウジング４０２に結合される。ハウジング４０２はベース本体３１２の側壁に固定される。
【０１０５】
以下に、本発明の第３実施例による心肺蘇生術装置の作用について説明する。
【０１０６】
先ず、連結具３９０の押え板４０１を押して係止板３９９を雌連結具３９２の突出板部３９３ｂから分離させる。このような状態で、施術対象者をベース本体３１２のベース面３２８に背中が接するように横にさせ、頭を頭支持部３６２に密着するようにした後、上記分離の逆順で雌連結具３９２を繰り上げて雄連結具３９４に連結する。この時、可変胸郭帯部３２４ａはスパイラルスプリング３９８の復元力に抗し左右ボビン３４０、３４２において適切に解けて、施術対象者の胸郭の大きさに合わせて適切な長さの胸郭帯が施術対象者の胸郭を包むようになる。
【０１０７】
胸郭帯３１８は、駆動手段３４８の駆動シリンダー３５５を作動させる簡単な調整により、施術対象者の身体に密着させられる。駆動軸３５４は、ロッキングシリンダー４０３を作動させることで簡単にロッキング及び解除することができる。
【０１０８】
制御手段（図示なし）によってシリンダー３７２を作動させてピストン３１４が下降すれば、圧迫パッド３７０が施術対象者の胸骨を圧迫して心臓ポンプの機能をする。これと同時に連結ブラケット３６９が下降するため、施術対象者の胸郭を巻回している胸郭帯３１８が胸郭を締め付けるようになり胸郭ポンプの機能をする。この時皮膚保護バンド３９６は伸縮するため、常に施術対象者の身体に密着する。
【０１０９】
一方、初期に胸郭帯３１８を左・右ボビン３４０、３４２に巻回するなどの場合には、ロッキングシリンダー４０３のロッキング状態を解除して駆動シリンダー３５５を駆動すれば、駆動ギヤ３５７、中間ギヤ３５６及び電動ギヤ３５０を通じて左右ボビン３４０、３４２が回転し胸郭帯３１８が巻回される。ピストン３１４の作動は第１実施例と同一である。
【０１１０】
本発明の心肺蘇生術装置には、患者に胸郭帯を巻回した時その張力を確認して適正張力を表示する張力確認装置、胸郭帯の張力を一定に維持する装置、女性の乳房などを保護する女性用補助装置、胸部圧迫と人工呼吸の割合を調節することができる装置、人工呼吸をする時に肺の損傷を防止するために吸気酸素の圧力を低く調節することができる圧力調節装置、呼吸量を一定にするために吸気酸素量を調節することができる呼吸量調節装置を追加して結合することもできる。
【０１１１】
本発明は実施例に限定されず、多様に変形して実施することができる。
【産業上の利用可能性】
【０１１２】
本発明による心肺蘇生術装置によれば、患者の体格に合せて胸郭帯の長さを容易に調整することができ、患者の胸骨を圧迫する時に胸部を保護し、圧迫パッドが下降する高さを容易に調節することができるという效果がある。
【図面の簡単な説明】
【０１１３】
【図１】従来の心肺蘇生術装置の立面図である。
【図２】本発明の第１実施例による心肺蘇生術装置の平面図である。
【図３】図２のＡ−Ａ線断面図である。
【図４】図３のＢ−Ｂ線断面図である。
【図５】図３のＣ−Ｃ線断面図である。
【図６】図３の連結板に第１案内ローラが結合された斜視図である。
【図７】図３の第１ストッパ及びハンドルブラケットの斜視図である。
【図８】図５のストッパ及び規制部材の斜視図である。
【図９】本発明の第２実施例による心肺蘇生術装置の立面図である。
【図１０】図９のベース本体の平面図である。
【図１１】図９のベース本体の側面図である。
【図１２】図９の圧迫手段及び胸郭収縮手段の平面図である。
【図１３】図１２の着脱連結具をＡ−Ａ線に沿って眺めた断面図である。
【図１４】図１２の一部部品の分解斜視図である。
【図１５】本発明の第２実施例による心肺蘇生術装置のロッキング手段を示す分解斜視図である。
【図１６】図１５のロッキング手段の組み立て平面図である。
【図１７】図１５のロッキング手段の作動状態図である。
【図１８】図１５のロッキング手段の作動状態図である。
【図１９】本発明による心肺蘇生術装置に施術対象者を横にさせた状態図である。
【図２０】本発明の第３実施例による心肺蘇生術装置の立面図である。
【図２１】図２０のベース本体の平面図である。
【図２２】図２０のベース本体の側面図である。
【図２３】図２０の圧迫手段及び胸郭収縮手段の一部部品の分解斜視図である。
【図２４】図２０の連結具の斜視図である。
【図２５】図２４の連結具の結合断面図である。
【符号の説明】
【０１１４】
１６  フレーム
１８  圧迫手段
２０  胸郭帯
２２  胸郭収縮手段
２４  長さ調節手段
２６  ピストン
４０  保護パッド
４８  ボビン
５２  第１ラチェットホイール
５４  第１ストッパ
５６  第２ラチェットホイール
５８  ハンドルブラケット
６０  第２ストッパ
６２  スパイラルスプリング
７６  ストッパ
７９  規制部材
１１２  ベース本体
１１４  ピストン
１１６  圧迫手段
１１８  胸郭帯
１２０  胸郭収縮手段
１２２、１２４  左・右胸郭帯
１２６  長さ調節手段
１３０  ベースブラケット
１４０、１４２  左・右ボビン
１４４、１４６、１５０  電動ギヤ
１４８  駆動手段
１７８  保護パッド
１９６、１９６’  皮膚保護バンド
１９８  スパイラルスプリング
２００  スライダ
２０４  抜け止め手段
２１０  ロッキング手段
【国際公開パンフレット】
2005502419.tif 000003
2005502419.tif 000004
2005502419.tif 000005
2005502419.tif 000006
2005502419.tif 000007
2005502419.tif 000008
2005502419.tif 000009
2005502419.tif 000010
2005502419.tif 000011
2005502419.tif 000012
2005502419.tif 000013
2005502419.tif 000014
2005502419.tif 000015
2005502419.tif 000016
2005502419.tif 000017
2005502419.tif 000018
2005502419.tif 000019
2005502419.tif 000020
2005502419.tif 000021
2005502419.tif 000022
2005502419.tif 000023
2005502419.tif 000024
2005502419.tif 000025
2005502419.tif 000026
2005502419.tif 000027
2005502419.tif 000028
2005502419.tif 000029
2005502419.tif 000030
2005502419.tif 000031
2005502419.tif 000032
2005502419.tif 000033
2005502419.tif 000034
2005502419.tif 000035
2005502419.tif 000036
2005502419.tif 000037
2005502419.tif 000038
2005502419.tif 000039
2005502419.tif 000040
2005502419.tif 000041
2005502419.tif 000042
2005502419.tif 000043
2005502419.tif 000044
2005502419.tif 000045
2005502419.tif 000046
2005502419.tif 000047
2005502419.tif 000048
2005502419.tif 000049
2005502419.tif 000050
2005502419.tif 000051
2005502419.tif 000052
2005502419.tif 000053
【手続補正書】
【提出日】平成15年10月15日(2003.10.15)
【手続補正１】
【補正対象書類名】特許請求の範囲
【補正対象項目名】全文
【補正方法】変更
【補正の内容】
【特許請求の範囲】
【請求項１】
胸骨を圧迫するピストンを有する圧迫手段と、前記圧迫手段が胸骨を圧迫する時に胸郭を締め付けて収縮させる胸郭帯を有する胸郭収縮手段と、患者の胸郭の大きさ合わせて前記胸郭帯の長さを調節する長さ調節手段とを有する心肺蘇生術装置において、
前記長さ調節手段は、前記胸郭帯が巻回されるボビンと、前記ボビンの軸に装着されて固定された第１ラチェットホイールと、前記ボビンの逆回転を防ぐように前記第１ラチェットホイールに係合する第１ストッパと、前記ボビンの軸に回転自在に装着され、前記第１ストッパが結合して案内されるとともに、一方の側に第２ラチェットホイールが取付けられたハンドルブラケットと、前記第２ラチェットホイールに係合し前記ハンドルブラケットの回転を規制する第２ストッパと、前記ボビンに回転力を与えるスパイラルスプリングとを含むことを特徴とする心肺蘇生術装置。
【請求項２】
前記胸郭収縮手段は、前記胸郭帯の締め付けによって胸部に密着する保護パッドを含む請求項１に記載の心肺蘇生術装置。
【請求項３】
前記圧迫手段は、前記ピストンの下降レベルを調整するように複数の規制溝が形成されたストッパと、前記ピストンと共に下降し前記規制溝に係止される規制部材とを含む請求項１に記載の心肺蘇生術装置。
【請求項４】
施術対象者の胸骨を圧迫するピストンを有する圧迫手段と、前記圧迫手段が胸骨を圧迫する時に胸郭を締め付けて収縮させる胸郭帯を有する胸郭収縮手段とを備えた心肺蘇生術装置において、前記胸郭帯は施術対象者の左右側部をそれぞれ包み込むように左・右胸郭帯に分けられ、施術対象者の背中が密着して支えられるベース面を有するベース本体と、施術対象者の胸郭の大きさに合わせて前記胸郭帯の長さを調節するように前記ベース本体に結合された長さ調節手段とを備え、
前記長さ調節手段は、
左・右胸郭帯の各下端が前記ベース面の中央に挿通して巻回される左・右ボビンと、
前記左・右ボビンに復元力を与えるスパイラルスプリングと、
前記左・右ボビンを回転させるように前記左右ボビンの軸に結合された複数の電動ギヤと、
前記電動ギヤを駆動する駆動手段とを含むことを特徴とする心肺蘇生術装置。
【請求項５】
前記駆動手段は、前記電動ギヤを回動させるように前記電動ギヤに噛み合った駆動ギヤと、前記駆動ギヤが結合された駆動軸と、前記駆動軸に着脱可能にスプライン結合されたハンドル軸と、前記ハンドル軸に結合されたハンドルとを含む請求項４に記載の心肺蘇生術装置。
【請求項６】
前記胸郭収縮手段は、前記胸郭帯の締め付けによって胸部に密着する保護パッドと、施術対象者の皮膚を保護するように前記胸郭帯の内部に密着して伸縮性を持つ皮膚保護バンドとを含む請求項４に記載の心肺蘇生術装置。
【請求項７】
前記駆動手段は、前記電動ギヤを回動させるように前記電動ギヤに噛み合った中間ギヤと、前記中間ギヤが結合された駆動軸と、前記駆動軸に差し込まれた駆動ギヤと、前記駆動ギヤを回転させるようにラックギヤが結合されたシリンダーとを含む請求項４に記載の心肺蘇生術装置。
【国際調査報告】
2005502419.tif 000054
2005502419.tif 000055